(57)【特許請求の範囲】
【請求項１】
有底筒状の基体部と、結合部と、複数の突出物とを含む墓用花立てであって、
前記結合部は、高さ方向でみた前記基体部の中間部分に備えられ、前記基体部を上下に分離可能に結合し、
前記突出物は、下側の前記基体部の中間部分の内面において、前記高さ方向でみて底部の内面から間隔を隔てた位置に突設され、
前記複数の突出物は、前記高さ方向に交差する周方向に沿って互いに間隔を隔てて配置される、
墓用花立て。
【発明の詳細な説明】
【技術分野】
【０００１】
本発明は、墓用花立てに関する。
【背景技術】
【０００２】
通常、墓は、墓石以外にも香炉や花立てなど付属物を有している。花立ては、遺族が墓参りの際に、墓前に手向けた供花を挿すものである。
【０００３】
ところで、墓参りの際に墓前へ供物を捧げたままにすると、野良犬や烏などによって供物が食い荒らされ、墓地の環境が雑然となる問題が生じる。そこで、多くの墓地や霊園では、墓前の環境美化を図る観点から、墓前に供えた食料品は、墓参り後に持ち帰るよう利用規則等で定めている。これに対し、供花は、野良犬などによって食い荒らされる恐れがないことから、墓前に供えた供花は、墓参り後もそのまま墓前に飾られる傾向にある。
【０００４】
これに対し、近年、供花についても、墓地の環境が雑然となる問題が生じうることが知られている。例えば、供花は、概ね生花であるから冬季の寒気に弱く、花や葉が立ち枯れた状態で花立てに放置されることとなる。さらに、花立てに供花を供えたまま放置していると、花立て内の水が寒気によって凍結して氷となり、氷によって持ち上げられた供花が花立てから脱落して地面に散乱することとなる。
【０００５】
また、供花は、夏季の直射日光や熱気にも弱く、萎れた花や葉が地面に散乱する。さらに、生花を長持ちさせるため花立て内に溜めた水が熱気により腐敗して臭気を発したり、ときには蚊の幼虫の住家ともなる。これらは甚だ佗しく心痛むことであり、霊魂の安住の地に相応しくない。
【０００６】
従来、供花を巡る墓前の環境美化の問題は、遺族が頻繁に墓参りし、墓前の管理をすることにより解消されてきた。しかし、現在では、ライフスタイルの変化に伴い、墓地と、遺族の居住地とが遠く離れていることが多く、供花の管理するためだけに墓参りしなければならないとなると、遺族にとって負担が大きくなる。
【０００７】
上述した供花を巡る墓前の環境美化の問題を解決する従来技術について、例えば、特許文献１に記載された墓用花立てが知られている。特許文献１の墓用花立ては、外容器と、供花が活けられる内容器とを有し、内容器が外容器に対して取り出し可能に収納される二重構造を有している。
【０００８】
しかし、この種の墓用花立てには、以下の点で、改善すべき余地がある。まず、この種の墓用花立ては、墓石の周囲の限られた設置スペースにおいて、生けられた供花を長持ちさせるに足るだけの量の水を溜めるため、及び、生けられた供花が倒れないように茎の部分を支えるため、背高の縦長容器となる傾向にある。その結果、たわしや雑巾を持つ清掃者の手が開口部で引っかかり、内面の清掃を十分に行うことができない不具合を生じる。
【０００９】
上述した不具合は、特許文献１に開示されているような二重構造の墓用花立てでは、より顕著にあらわれる。すなわち、内容器が外容器に収納される二重構造では、塵埃や雨水による水垢などは、内容器よりも外容器に多く付着するから、墓前の環境美化を実現するには、外容器の清掃が重要となる。これに対し、外容器は、内容器を収納するため、内容器以上に縦長となる傾向にあるから、たわしや雑巾を持つ手が開口部で引っかかり、外容器の内部の清掃を十分に行うことができない不具合を生じる。
【先行技術文献】
【特許文献】
【００１０】
【特許文献１】特開２０１０−０３７８９４号公報
【発明の概要】
【発明が解決しようとする課題】
【００１１】
本発明の課題は、墓前の環境を美化し、且、清潔に維持することができる墓用花立てを提供することである。
【課題を解決するための手段】
【００１２】
上述した課題を解決するため、本発明に係る墓用花立ては、有底筒状の基体部と、結合部とを含む。結合部は、高さ方向でみた基体部の中間部分に備えられ、前記基体部を上下に分離可能に結合する。
【００１３】
上述したように、墓用花立ては、有底筒状の基体部を含むから、基体部の開口部分から水と供花とを投入し、それらを基体部の内部空間（収納空間）に保持させることができる。従って、本発明に係る墓用花立ては、この種の墓用花立てとして求められる一般的、かつ、基本的な構造、及び、機能を有するものである。
【００１４】
ところで、既に説明したところではあるが、この種の墓用花立ては、墓石の周囲の限られた設置スペースにおいて、生けられた供花を長持ちさせるに足るだけの量の水を溜めるため、及び、生けられた供花が倒れないように茎の部分を支えるため、背高の縦長容器となる傾向にある。その結果、たわしや雑巾を持つ清掃者の手が開口部で引っかかり、内部の清掃を十分に行うことができない不具合を生じる。
【００１５】
上述した不具合を解消するため、本発明に係る墓用花立ては、結合部を含む点に特徴の一つがある。すなわち、本発明に係る墓用花立てを構成する結合部は、高さ方向でみた基体部の中間部分に備えられ、基体部を上下に分離可能に結合する。この構造によると、清掃時に基体部を上下に分離し、筒状の基体部と、有底筒状の基体部とに分けて清掃作業を行うことできる。従って、墓用花立てが背高の縦長容器であっても、高さ寸法に関わらず、内部の清掃が容易になり、もって、墓前の環境を美化し、且、清潔に維持することができる墓用花立てを提供することができる。
【００１６】
また、清掃後は、分離した２つの基体部を再結合することで、既に説明したような墓用花立てとして用いることができる。
【００１７】
本発明の利点は、墓用花立てが、二重構造の墓用花立ての外容器に用いられた場合に、より顕著にあらわれる。すなわち、内容器が外容器に収納される二重構造では、塵埃や雨水による水垢などは、内容器よりも外容器に多く付着するから、墓前の環境美化を実現するには、外容器の清掃が重要となる。これに対し、外容器は、内容器を内部に収納するため、内容器以上に縦長形状でなければならないから、たわしや雑巾を持つ手が開口部で引っかかり、外容器の内部の清掃を十分に行うことができない不具合を生じる。
【００１８】
上述した不具合は、本発明の墓用花立てを外容器として用いることで解消することができる。
【発明の効果】
【００１９】
以上述べたように、本発明によれば、墓前の環境を美化し、且、清潔に維持することができる墓用花立てを提供することができる。
【００２０】
本発明の他の目的、構成及び利点については、添付図面を参照し、更に詳しく説明する。添付図面は、単に、例示に過ぎない。
【図面の簡単な説明】
【００２１】
【図１】本発明の一実施形態に係る墓用花立ての斜視図である。
【図２】図１の墓用花立ての正面断面図である。
【図３】図１の墓用花立ての分解構造を示す斜視図である。
【図４】図１の墓用花立ての使用状態について一部を省略して示す正面断面図である。
【図５】本発明のもう一つの実施形態に係る墓用花立ての正面断面図である。
【図６】図５の墓用花立てについて一部を省略して示す平面断面図である。
【図７】図５の墓用花立ての使用状態について一部を省略して示す正面断面図である。
【図８】図５の墓用花立てのもう一つの使用状態について一部を省略して示す正面断面図である。
【図９】本発明の更にもう一つの実施形態に係る墓用花立ての使用状態について一部を省略して示す正面断面図である。
【発明を実施するための形態】
【００２２】
図１乃至図９において同一符号は、同一又は対応部分を示すものとする。本発明の実施形態に係る墓用花立て１は、有底筒状の基体部１０と、結合部１１とを含む。結合部１１は、高さ方向Ｔでみた基体部１０の中間部分に備えられ、基体部１０を上下に分離可能に結合する。より詳細に説明すると、図１乃至図３の墓用花立て１の基体部１０は、第１容器部２と、第２容器部３とが高さ方向Ｔに積み重ねられ、結合部１１を介して上下に一体的に結合されることにより構成されている。
【００２３】
まず、第１容器部２は、基体部２０と、内部空間２００と、第１開口部２１と、第２開口部２２と、第１結合部２３とを有している。基体部２０は、成形容易性、経年使用に対する耐久性（耐腐食性）などの観点から、アルミ、ステンレスなどの金属材料、又は、ポリエチレン（ＰＥ）、ポリプロピレン（ＰＰ）などの合成樹脂材料を主成分とし、周知の加工技術によって筒状に成形されている。
【００２４】
内部空間２００は、基体部２０を構成する側壁の内面によって画定されている。第１開口部２１は、高さ方向Ｔでみた基体部２０の一端に開口し、内部空間２００に通じている。第２開口部２２は、高さ方向Ｔでみた基体部２０の他端であって、第１開口部２１の反対側に開口し、内部空間２００に通じている。図１乃至図３の第１開口部２１は、高さ方向Ｔに交差する径方向Ｗでみて、基体部２０の側壁の中間部分よりも外側に拡張されている。すなわち、第１容器部２は、第１開口部２１の側が、いわゆるラッパ状に開口し、第１開口部２１の部分の内寸法が、基体部２０の側壁の中間部分まで減少する方向に傾斜している。違う言葉で表現すれば、第１開口部２１は、基体部２０の側壁に一体的に連続しており、連続部分以降の基体部２０の側壁の内寸法は、第２開口部２２まで小さくなる径変化部分を有しない。
【００２５】
第１結合部２３は、第２開口部２２に設けられている。図１乃至図３の第１結合部２３は、螺子溝と螺子山とを螺着する凹凸嵌合構造を構成するものであって、第２開口部２２の開口端縁から、基体部２０の側壁の中間部分までの内面に形成されている。違う言葉で表現すれば、第１容器部２は、第２開口部２２の開口端縁から基体部２０の側壁の中間部分の内面に凹段部分を有し、この凹段部分に螺子溝と螺子山とで構成された第１結合部２３が形成されている。
【００２６】
次に、第２容器部３は、有底筒状の基体部３０と、内部空間３００と、第３開口部３１と、底部３２と、第２結合部３３とを有している。第２容器部３は、基体部３０が有底筒状である以外は、第１容器部２の基本的構成を有している。以下、簡単に説明する。
【００２７】
基体部３０は、成形容易性、経年使用に対する耐久性（耐腐食性）などの観点から、アルミ、ステンレスなどの金属材料、又は、ポリエチレン（ＰＥ）、ポリプロピレン（ＰＰ）などの合成樹脂材料を主成分とし、周知の加工技術によって有底筒状に成形されている。
【００２８】
内部空間３００は、基体部３０の側壁の内面と、底部３２の内面とによって画定されている。第３開口部３１は、高さ方向Ｔでみた基体部３０の他端であって、底部３２の反対側に開口し、内部空間３００に通じている。第３開口部３１の形状は、高さ方向Ｔに沿って、底部３２まで保たれている。違う言葉で表現すれば、基体部３０は、高さ方向Ｔに伸びる中間部分に、第３開口部３１の内寸法よりも小さくなる径変化部分を有しない。
【００２９】
第２結合部３３は、螺子溝と螺子山とを螺着する凹凸嵌合構造を構成するものであって、第３開口部３１の開口端縁から、基体部３０の側壁の中間部分の外面に設けられ、第１結合部２３と分離可能に結合される。違う言葉で表現すれば、第２容器部３は、第３開口部３１の開口端縁から基体部３０の側壁の中間部分の内面に下凹段部分３４を有し、この下凹段部分３４に螺子溝と螺子山とを含む第２結合部３３が形成されている。
【００３０】
墓用花立て１は、結合部１１を構成する第１、第２結合部２３、３３が螺着され、第１、第２容器部２、３が一体的に結合され、かつ、各内部空間２００、３００が連続する収納空間１００を形成することにより、収納空間１００が供花６の投入空間、及び、供花６のための水７の貯水７空間として用いられる。
【００３１】
さらに、図１乃至図３の墓用花立て１は、鍔部２５を有する。鍔部２５は、第１容器部２を構成する基体部２０の側壁部分の外面において、径方向Ｗでみて外側に突出するように、基体部２０と一体的に設けられている。鍔部２５は、墓用花立て１を設置孔（５０）に埋設する際、設置孔（５０）の開口端縁（５１）に引っ掛けるためのものであり、設置姿勢の安定化の観点から、基体部２０の側壁部分の外面において、周方向に連続するリング状に形成される。
【００３２】
図４は、図１乃至図３の墓用花立ての使用状態について一部を省略して示す正面断面図である。図４の実施形態は、墓用花立て１と、墓石５と、供花６と、水７とを含む。
【００３３】
墓石５は、設置孔５０を有している。設置孔５０は、表面に開口端縁５１を有し、開口端縁５１とは反対側に内部底面を有し、内部底面と内部側面とにより画定された埋設空間を有している。埋設空間を外部に開放する開口端縁５１は、予め墓用花立て１の形状に応じて形成されている。さらに、設置孔５０は、底部付近に排水路５２を有しており、排水路５２は放出端が外部に連通している。
【００３４】
墓用花立て１は、結合部１１を構成する第１、第２結合部２３、３３が螺着され、第１、第２容器部２、３が一体的に結合された状態で開口端縁５１を通じて埋設空間に案内され、鍔部２５が開口端縁５１に掛け止められることにより、設置孔５０に埋設される。開口端縁５１は、鍔部２５が開口端縁５１に掛け止められることにより、鍔部２５と、墓用花立て１とにより塞がれる。
【００３５】
墓用花立て１は、設置孔５０に埋設された状態で、収納空間１００に、供花６、及び、供花６のための水７が貯められることにより、墓前を飾る。
【００３６】
図１乃至図４を参照して説明した墓用花立て１は、有底筒状であるから、第１開口部２１から水７と供花６とを投入し、それらを収納空間１００に保持させることができる。従って、図１の墓用花立て１は、この種の墓用花立てとして求められる一般的、かつ、基本的な構造、及び、機能を有するものである。
【００３７】
ところで、既に説明したところではあるが、この種の墓用花立ては、墓石５の周囲の限られた設置スペースにおいて、生けられた供花６を長持ちさせるに足るだけの量の水７を溜めるため、及び、生けられた供花６が倒れないように茎の部分を支えるため、背高の縦長容器となる傾向にある。その結果、たわしや雑巾を持つ清掃者の手が第１開口部２１で引っかかり、収納空間１００の内面の清掃を十分に行うことができない不具合を生じる。
【００３８】
上述した不具合を解消するため、図１乃至図４の墓用花立て１は、結合部１１を含む点に特徴の一つがある。すなわち、結合部１１は、高さ方向Ｔでみた基体部１０の中間部分に備えられ、基体部１０を上下に分離可能に結合する。この構造によると、清掃時に基体部１０を上下に分離し、基体部２０、３０に分けて清掃作業を行うことできる。従って、墓用花立て１が背高の縦長容器であっても、高さ寸法に関わらず、内面の清掃が容易になり、墓前の環境を美化し、且、清潔に維持することができる墓用花立て１を提供することができる。
【００３９】
また、清掃後は、分離した基体部２０、３０とを再結合することで、既に説明したような墓用花立て１として用いることができる。
【００４０】
図５は本発明のもう一つの実施形態に係る墓用花立ての正面断面図、図６は図５の墓用花立てについて一部を省略して示す平面断面図である。また、図７は図５の墓用花立ての使用状態について一部を省略して示す正面断面図、図８は図５の墓用花立てのもう一つの使用状態について一部を省略して示す正面断面図である。
【００４１】
図５乃至図８の墓用花立ては、図１乃至図４の墓用花立てを外容器としている点、及び、同外容器の内部に収納される内容器を含む二重構造である点で異なる。以下、説明の都合上、外容器に参照符号１を付して、図１乃至図４の墓用花立てと、図５乃至図８の墓用花立ての相違点を説明する。
【００４２】
外容器１は、図１乃至図４の墓用花立て（１）と同様の基本的な構成要件に加え、さらに、複数の突出物３５（図６参照）と、貫通孔３６とを有する。
【００４３】
突出物３５は、下側の第２容器部３の基体部３０の中間部分を構成する側壁部分の内面であって、かつ、高さ方向Ｔでみて底部３２の内面から間隔Ｇを隔てた位置において、径方向Ｗでみて内側に突出するように設置されている。図６の突出物３５は、基体部３０と一体的に設けられている。さらに、複数の突出物３５は、高さ方向Ｔに交差する周方向Ｃに沿って所定のピッチ間隔で、互いに間隔を隔てて配置される。
【００４４】
突出物３５は、後述する内容器（４）の支持するためのものであり、突出物３５と底部３２の内面との間の間隔Ｇに相当する空間３７は、後述する装飾部（４２）の退避空間となる。突出物３５の突出端は、高さ方向Ｔに貫通する貫通孔の開口縁を構成している。この開口縁は、後述する装飾部（４２）の出し入れを阻害しない内寸法を有している。
【００４５】
貫通孔３６は、基体部３０の側壁部分を内面から外面に貫通している。貫通孔３６は、内容器（４）から溢れ出た水や、外容器１の収納空間１００内に侵入した雨水、及び、結露により生じる水などを、収納空間１００から外へ排出するものであるから、水がたまりやすい収納空間１００の下側の位置に開設される。
【００４６】
内容器４は、外容器１に取り出し可能に収納される。内容器４は、成形容易性、耐久性などの観点から、アルミ、ステンレスなどの金属材料、又は、ポリエチレン（ＰＥ）、ポリプロピレン（ＰＰ）などの合成樹脂材料を主成分とし、周知の加工技術によって一体的な有底筒状に成形されている。
【００４７】
さらに、内容器４は、底部４１の外面に装飾部４２を有している。装飾部４２は、墓前の装飾に適した構造、形状、模様、及び、色彩（デザイン）を有している。墓前の装飾に適したデザインとしては、例えば、蓮の花や擬宝珠など周知の仏具デザインがあげられる。装飾部４２は、底部４１の外面に取り付けられている。違う言葉で表現すれば、装飾部４２は、底部４１を貫通しておらず、従って、水が貯められる内容器４の内部の密閉性が確保され、水漏れが防止されている。
【００４８】
図５及び図６の墓用花立て１は、外容器１に内容器４が収納された二重構造を有している。内容器４の平面形状は、外容器１の平面形状を縮小した相似形となっており、横断面でみた内容器４の内寸法は、外容器１の内寸法よりも小さくなっている。上述した構造により、墓用花立て１は、収納空間１００に内容器４が収納された状態で、外容器１と、内容器４との相対向面間に、内寸法差に応じた隙間を有している。
【００４９】
内容器４は、収納空間１００に取り出し可能に収納され、収納された状態で、開口部４３、又は、開口部４３に向かい合う底部４１が、第１開口部２１の側に位置している。違う言葉で表現すれば、内容器４は、開口部４３、又は、底部４１のいずれかが、突出物３５によって支えられている。ここで、開口部４３、又は、底部４１のいずれが、第１開口部２１の側に位置するかは、収納空間１００への案内時における、内容器４の向きによって決定される。
【００５０】
内容器４が底部４１の側から収納空間１００に案内された場合、図５及び図７に示すように、開口部４３が第１開口部２１の側に位置し、開口部４３と、第１開口部２１とが同一方向に開口する状態（正位置の状態）となる。正位置の状態において、内容器４は、底部４１の外面が突出物３５によって支持され、装飾部４２が退避空間３７に収納される。即ち、突出物３５と底部３２との高低差Ｇは、装飾部４２の高さ寸法に追従して決定される。
【００５１】
他方、内容器４が開口部４３の側から収納空間１００に案内された場合、図８に示すように、底部４１が第１開口部２１の側に位置し、開口部４３と、第１開口部２１とが相対向する方向に開口する状態（逆位置の状態）となる。逆位置の状態において、内容器４は、第１開口部２１の開口縁の近傍に底部４１の外面が位置し、装飾部４２が第１開口部２１の開口縁から高さ方向Ｔに突出する。
【００５２】
ところで、既に説明したところではあるが、この種の墓用花立ては、背高の縦長容器となる傾向にあり、たわしや雑巾を持つ清掃者の手が第１開口部２１で引っかかり、内面の清掃を十分に行うことができない不具合を生じる。上述した不具合は、二重構造の墓用花立てでは、より顕著にあらわれる。すなわち、内容器４が外容器１に収納される二重構造では、塵埃や雨水による水垢などは、内容器４よりも外容器１に多く付着するから、墓前の環境美化を実現するには、外容器１の清掃が重要となる。これに対し、外容器１は、内容器４を内部に収納するため、内容器４以上に縦長形状でなければならないから、たわしや雑巾を持つ手が開口部で引っかかり、外容器１の内部の清掃を十分に行うことができない不具合を生じる。
【００５３】
これに対して、図５乃至図８の墓用花立ては、図１乃至図４の墓用花立てを外容器１としているから、図１乃至図４を参照して説明した利点を全て有することができる。例えば、すなわち、外容器１の結合部１１を構成する第１、第２結合部２３、３３は、高さ方向Ｔでみた基体部１０の中間部分に備えられ、基体部１０を上下に分離可能に結合する。この構造によると、外容器１が背高の縦長容器であっても、高さ寸法に関わらず、内面の清掃が容易になり、墓前の環境を美化し、且、清潔に維持することができる墓用花立て１を提供することができる。
【００５４】
特に、第２容器部３の内部に、突出物３５が設けられている場合、通常、たわしや雑巾を持つ清掃者の手は、突出物３５に遮られるから、突出物３５の裏側（底部３２の側）の清掃が困難となる可能性がある。この点、外容器１は、結合部１１によって、高さ方向Ｔでみた上下に分離可能に結合され、外容器１を上下に分離し、基体部２０、３０に分けて清掃作業を行うことできる構成によれば、突出物３５の裏側（底部３２の側）の清掃も容易に行うことができる。
【００５５】
ここで、複数の突出物３５は、周方向Ｃに沿って所定のピッチ間隔で配置され、非連続態様（非リング状）となっており、しかも、突出物３５の突出長さは装飾部４２を出し入れできるだけの短さであるから、突出物３５の裏側（底部３２の側）の清掃を容易に行うことができる。
【００５６】
また、清掃後は、分離した基体部２０、３０を再結合することで、既に説明したような外容器１として用いることができる。
【００５７】
さらに、図５乃至図８の墓用花立ては、内容器４が外容器１に取り出し可能に収納される二重筒構造を有するから、内容器４と、外容器１とは互いに分離可能な別部材となる。従って、外容器１を墓石５に埋設した状態で、内容器４のみを外容器１から分離することができる。従って、内容器４の維持管理が容易になり、もって、墓前の環境を美化し、且、清潔に維持することができる。
【００５８】
他方、外容器１に対しては、墓前の装飾に適した構造、形状、模様、及び、色彩を付することが可能となる。例えば、外容器１は、貫通孔３６を有しているから、第１開口部２１を通じて収納空間１００に溜まった雨水が、貫通孔３６を通じて外部に排出される。従って、収納空間１００に雨水が溜まる不具合、及び、溜まった雨水が腐敗して腐臭を放つ不都合を回避することができる。
【００５９】
内容器４は、有底筒状であるから、内容器４が正位置の状態で収納空間１００に収納されているとき、例えば墓参りの最中に、供花６を挿すとともに、及び、供花６のための水７をためることができる。従って、墓前の環境を美化することができる。
【００６０】
正位置の状態において、突出物３５は、底部３２の中央部分に退避空間３７を有しているから、退避空間３７に装飾部４２を収納することにより、底部４１と底部３２とを平行させた状態で突出物３５により外面を支持することができる。従って、内容器４を収納空間１００に安定的に配置し、内容器４に挿された供花６の見栄えが良くなるとともに、内容器４から供花６が脱落する不具合を回避することができる。
【００６１】
他方、内容器４が逆位置の状態で収納空間１００に収納されているとき、例えば次に墓参りに訪れるまでの間に、雨水などが溜まる不都合を回避することができる。しかも、内容器４は、装飾部４２を有しており、逆位置の状態では、開口部４３の周縁が突出物３５によって支持され、高低差の分だけ、装飾部４２が第１開口部２１から外部に突出する。従って、墓参り後に、生花５を廃棄したとしても、内容器４を収納空間１００から取り出し、内容器４を上下反転させ、逆位置の状態で収納空間１００に再配置するだけで、供花６の代わりとなる装飾部４２が外部に突出し、墓前を飾ることができる。
【００６２】
墓用花立て１において、内容器４と、外容器１との相対向面間には、内寸法差に応じた隙間Ｇが生じ、この隙間Ｇにより断熱効果を奏することができる。従って、夏季の熱気により腐敗する不具合、及び、冬季の寒気により凍結する不具合を回避することができる。
【００６３】
また、図５乃至図８の墓用花立てにおいて、複数の突出物３５は、高さ方向Ｔに交差する周方向Ｃに沿って所定のピッチ間隔で、互いに間隔を隔てて配置される。この非連続態様（非リング状）の構造によると、突出物３５をリング状に形成した場合よりも、材料費が少なくて済む分だけ製造コストを低減することができるとともに、加工作業の手間が少なくて済む分だけ加工コストを低減することができる。
【００６４】
図９は、本発明の更にもう一つの実施形態に係る墓用花立て１の使用状態について一部を省略して示す正面断面図である。図９の墓用花立ては、墓石５上に載置される態様である点で、墓石５に埋設される態様である図５乃至図８の墓用花立てとは異なる。以下、相違点を中心に説明する。
【００６５】
外容器１は、図５乃至図８の墓用花立てと同様の基本的な構成要件に加え、さらに、嵌合具挿通孔３８を有する。嵌合具挿通孔３８は、外容器１の底部３２を高さ方向Ｔに貫通し、底部３２内面、及び、底部３２外面に開口している。
【００６６】
図９の墓用花立て１は、墓石５上に設置されている。墓石５は墓用花立ての載置箇所に予め雌型嵌合具５３（例えばナット）が埋設されている。他方、墓用花立て１は、底部３２に嵌合具挿通孔３８を有し、この嵌合具挿通孔３８の内側に雄型嵌合具５４（例えばボルト）を配し、雄型嵌合具５４を嵌合具挿通孔３８を通じて、雌型嵌合具５３に螺着結合させることにより、外容器１が墓石５上に固定される。
【００６７】
図９の墓用花立てによっても、図１乃至図８を参照して説明した利点を全て有することができる。例えば、図９の墓用花立ては、内容器４が外容器１に取り出し可能に収納される二重筒構造を有するから、内容器４と、外容器１とは互いに分離可能な別部材となる。従って、内容器４の維持管理が容易になり、墓前の環境を清潔に維持することができる。他方、外容器１に対しては、墓前の装飾に適した構造、形状、模様、及び、色彩を付することが可能となり、もって、墓前の環境を美化することができる。
【００６８】
墓用花立て１を構成する内容器４と外容器１とは互いに分離可能な別部材であるから、外容器１を墓石５上に固定した状態で、内容器４のみを外容器１から分離することができる。従って、内容器４の維持管理が容易になり、もって、墓前の環境を美化し、且、清潔に維持することができる。
【００６９】
以上、好ましい実施例を参照して本発明の内容を具体的に説明したが、本発明の基本的技術思想及び教示に基づいて、当業者であれば、種種の変形態様を採り得ることは自明である。例えば、図１乃至図４の墓用花立ては、図５乃至図８を参照して説明した埋設構造で図示しているが、これを図９を参照して説明した墓石載置構造とすることもできる。
【００７０】
また、図５乃至図９の実施形態では、図１乃至図４の墓用花立て１を、外容器として用いた場合で説明しているが、これを内容器として用いてもよいし、さらに言えば外容器、内容器の両者を、図１乃至図４の墓用花立て１で構成してもよい。
【符号の説明】
【００７１】
１        墓用花立て
１０      基体部
１１      結合部
Ｔ        高さ方向
【要約】
【課題】墓前の環境を美化し、且、清潔に維持することができる墓用花立てを提供する。
【解決手段】墓用花立ては、有底筒状の基体部１０と、結合部１１とを含む。結合部１１は、高さ方向Ｔでみた基体部１０の中間部分に備えられ、基体部１０を上下に分離可能に結合する。
【選択図】図１【図１】
0005460911.tif 000002
【図２】
0005460911.tif 000003
【図３】
0005460911.tif 000004
【図４】
0005460911.tif 000005
【図５】
0005460911.tif 000006
【図６】
0005460911.tif 000007
【図７】
0005460911.tif 000008
【図８】
0005460911.tif 000009
【図９】
0005460911.tif 000010